(57)【要約】【課題】異常な温度上昇を抑制することが可能になり、しかも耐久性を向上できるランプソケット装置、照明装置、および照明器具を提供することにある。【解決手段】ランプソケット装置は、ランプピン２３０が接触接続される第１の導電板２と、ランプへの給電用の給電線が接続される端子部３０および第１の導電板２に接触される接触部３１を有した第２の導電板３と、第１の導電板２および第２の導電板３が収納されたソケット本体とを備え、第２の導電板３の接触部３１は、所定温度以上になると第１の導電板２に接触しない形に変形し、所定温度未満になると第１の導電板２に接触する形に変形するバイメタルからなる。【選択図】図１
2009032523.tif 000002
【特許請求の範囲】
【請求項１】
ランプピンが接触接続される第１の導電板と、ランプへの給電用の給電線が接続される端子部および第１の導電板に接触される接触部を有した第２の導電板と、第１の導電板および第２の導電板が収納されたソケット本体とを備え、
第２の導電板の接触部は、所定温度以上になると第１の導電板に接触しない形に変形し、所定温度未満になると第１の導電板に接触する形に変形するバイメタルからなることを特徴とするランプソケット装置。
【請求項２】
第１の導電板は、第２の導電板の接触部に接触しない開位置と、第２の導電板の接触部に接触する閉位置との間を移動可能な形にソケット本体に収納され、
ランプピンが接触接続されていない状態では上記開位置に位置し、ランプピンの接触接続時にランプピンに押圧されて上記開位置から上記閉位置に移動することを特徴とする請求項１記載のランプソケット装置。
【請求項３】
ランプピンが接触接続されるピン接続部およびランプへの給電用の給電線が接続される給電線用端子部を有した第１の導電板と、異常検知用の信号線が接続される信号線用端子部および第１の導電板に接触される接触部を有した第２の導電板と、第１の導電板および第２の導電板が収納されたソケット本体とを備え、
第２の導電板の接触部は、所定温度以上になると第１の導電板に接触しない形に変形し、所定温度未満になると第１の導電板に接触する形に変形するバイメタルからなることを特徴とするランプソケット装置。
【請求項４】
第１の導電板は、第２の導電板の接触部と接触しない開位置と、第２の導電板の接触部と接触する閉位置との間を移動可能な形にソケット本体に収納され、
ランプピンが接触接続されていない状態では上記開位置に位置し、ランプピンの接触接続時にランプピンに押圧されて上記開位置から上記閉位置に移動することを特徴とする請求項３記載のランプソケット装置。
【請求項５】
請求項３または４記載のランプソケット装置と、ランプソケット装置に給電線および信号線により接続され当該ランプソケット装置を介してランプに給電する点灯装置とを備え、
点灯装置は、信号線の出力により、第２の導電板の接触部が第１の導電板に接触しているか否かを検知し、接触部が第１の導電板に接触していれば、ランプに給電を行い、接触部が第１の導電板に接触していなければ、ランプへの給電を停止することを特徴とする照明装置。
【請求項６】
請求項１〜４のうちいずれか１項記載のランプソケット装置と、ランプソケット装置に給電線により接続され当該ランプソケット装置を介してランプに給電する点灯装置とを器具本体に備えたことを特徴とする照明器具。
【発明の詳細な説明】
【技術分野】
【０００１】
本発明は、ランプソケット装置、照明装置、および照明器具に関する。
【背景技術】
【０００２】
従来から、ランプを照明器具の器具本体に対する定位置に取り付けるためのランプソケット装置が提供されている。この種のランプソケット装置としては、ランプソケット装置としての機能の他に、ランプがランプソケット装置に接続されているか否かを検出する機能が付加されたものが提案されている（例えば、特許文献１参照）。
【０００３】
ところで、ランプが寿命末期になると口金付近が高温になるおそれがあり、このような状態を放置していると、危険なだけではなく、ランプソケット装置や、照明器具（特に安定器）などの寿命が短くなってしまうおそれがある。
【０００４】
そこで、ランプピンが接触接続される導電板をバイメタルにより形成し、ランプの口金付近の温度が高くなった際に、導電板が変形してランプピンとの接触状態を解除するようにしたランプソケット装置が提案されている（例えば、特許文献２参照）。
【特許文献１】実用新案登録第２５２３２９５号公報
【特許文献２】特開２００６−２３６７５５号公報
【発明の開示】
【発明が解決しようとする課題】
【０００５】
このようなランプソケット装置によれば、ランプの口金付近の温度が所定温度以上となった際に、導電板がランプピンから離れて、ランプへの給電が停止されるため、異常な温度上昇を抑制することができる。
【０００６】
しかしながら、導電板がランプピンから離間する際に、ランプピンと導電板との間にアーク放電が発生する場合がある。アーク放電が生じた際には、導電板が損傷してしまうおそれがあり、損傷の度合いによっては、ランプピンと導電板との間の接触導通が悪化し、ランプピンと導電板との間で電流が流れにくくなり、その結果、ランプソケット装置の性能が劣化し、再使用に耐えることができなくなることがあった。
【０００７】
本発明は上述の点に鑑みて為されたもので、異常な温度上昇を抑制することが可能になり、しかも耐久性を向上できるランプソケット装置、照明装置、および照明器具を提供することにある。
【課題を解決するための手段】
【０００８】
上記の課題を解決するために、請求項１の発明では、ランプピンが接触接続される第１の導電板と、ランプへの給電用の給電線が接続される端子部および第１の導電板に接触される接触部を有した第２の導電板と、第１の導電板および第２の導電板が収納されたソケット本体とを備え、第２の導電板の接触部は、所定温度以上になると第１の導電板に接触しない形に変形し、所定温度未満になると第１の導電板に接触する形に変形するバイメタルからなることを特徴とする。
【０００９】
請求項１の発明によれば、第２の導電板の接触部が所定温度未満であれば、第２の導電板の接触部が第１の導電板に接触して、第１の導電板および第２の導電板が給電線とランプピンとの間の導電路を形成する一方、第２の導電板の接触部が所定温度以上になれば、第２の導電板の接触部が第１の導電板に接触しなくなり、上記導電路が遮断されるから、ランプの寿命末期やランプピンに過電流が流れることなどによる異常な温度上昇を抑制できる。しかも、ランプピンが接触接続される第１の導電板から給電線が接続される第２の導電板が離れるようにしているので、第１の導電板におけるランプピンとの接触部分がアーク放電によって損傷することがなく、また導電板同士の接触部分を耐アーク性に優れた構成とすることができるから、ランプピンから導電板を離す従来例に比べれば、アーク放電の発生による導電板の損傷を抑制できて、耐久性を向上でき、繰り返しの使用にも耐えることができる。
【００１０】
請求項２の発明では、請求項１の発明において、第１の導電板は、第２の導電板の接触部に接触しない開位置と、第２の導電板の接触部に接触する閉位置との間を移動可能な形にソケット本体に収納され、ランプピンが接触接続されていない状態では上記開位置に位置し、ランプピンの接触接続時にランプピンに押圧されて上記開位置から上記閉位置に移動することを特徴とする。
【００１１】
請求項２の発明によれば、ランプピンを第１の導電板に接触接続したときに、第１の導電板が第２の導電板に電気的に接続されるので、ランプピンを第１の導電板に接触接続する前は、第１の導電板が第２の導電板に電気的に接続されておらず、この状態で第１の導電板に触れてしまっても、感電するおそれがないから、安全性を高めることができる。
【００１２】
請求項３の発明では、ランプピンが接触接続されるピン接続部およびランプへの給電用の給電線が接続される給電線用端子部を有した第１の導電板と、異常検知用の信号線が接続される信号線用端子部および第１の導電板に接触される接触部を有した第２の導電板と、第１の導電板および第２の導電板が収納されたソケット本体とを備え、第２の導電板の接触部は、所定温度以上になると第１の導電板に接触しない形に変形し、所定温度未満になると第１の導電板に接触する形に変形するバイメタルからなることを特徴とする。
【００１３】
請求項３の発明によれば、第２の導電板の接触部が所定温度未満であれば、第２の導電板の接触部が第１の導電板に接触する一方、第２の導電板の接触部が所定温度以上になれば、第２の導電板の接触部が第１の導電板に接触しなくなるので、第２の導電板の信号線用端子部に接続された信号線を利用して、ランプの寿命末期やランプピンに過電流が流れることなどによる異常な温度上昇の発生を検知できるから、異常な温度上昇を抑制することが可能となる。例えばランプソケット装置を介してランプに給電する点灯装置が、第２の導電板の接触部が第１の導電板に接触していなければ異常な温度上昇が生じていると判別して、ランプへの給電を停止することによって、異常な温度上昇を抑制することができる。しかも、信号線に流す電流は給電用の電流に比べて小さくて済むため、第１の導電板と第２の導電板の接触部とが接離する際にアーク放電が発生することを防止できる。また、ランプピンから導電板を離す従来例とは異なり、アーク放電の発生によって導電板が損傷するおそれがないから、耐久性を向上でき、繰り返しの使用にも耐えることができる。
【００１４】
請求項４の発明では、請求項３の発明において、第１の導電板は、第２の導電板の接触部と接触しない開位置と、第２の導電板の接触部と接触する閉位置との間を移動可能な形にソケット本体に収納され、ランプピンが接触接続されていない状態では上記開位置に位置し、ランプピンの接触接続時にランプピンに押圧されて上記開位置から上記閉位置に移動することを特徴とする。
【００１５】
請求項４の発明によれば、ランプピンを第１の導電板に接触接続したときに、第１の導電板が第２の導電板に電気的に接続されるために、ランプピンを第１の導電板に接触接続する前は、第１の導電板が第２の導電板に電気的に接続されていないので、接触部が所定温度以上になって第１の導電板と接触しなくなった状態と同じ状態となり、例えばランプソケット装置を介してランプに給電する点灯装置が第２の導電板の接触部が第１の導電板に接触していなければ異常な温度上昇が生じていると判別してランプへの給電を停止するものであれば、ランプピンを第１の導電板に接触接続する前は、ランプへの給電が停止されることになり、この状態で第１の導電板に触れてしまっても、感電するおそれがないから、安全性を高めることができる。
【００１６】
請求項５の発明では、請求項３または４記載のランプソケット装置と、ランプソケット装置に給電線および信号線により接続され当該ランプソケット装置を介してランプに給電する点灯装置とを備え、点灯装置は、信号線の出力により、第２の導電板の接触部が第１の導電板に接触しているか否かを検知し、接触部が第１の導電板に接触していれば、ランプに給電を行い、接触部が第１の導電板に接触していなければ、ランプへの給電を停止することを特徴とする。
【００１７】
請求項５の発明によれば、点灯装置が、第２の導電板の接触部が第１の導電板に接触していなければ異常な温度上昇が生じていると判別してランプへの給電を停止するから、異常な温度上昇を抑制することができる。
【００１８】
請求項６の発明では、請求項１〜４のうちいずれか１項記載のランプソケット装置と、ランプソケット装置に給電線により接続され当該ランプソケット装置を介してランプに給電する点灯装置とを器具本体に備えたことを特徴とする。
【００１９】
請求項６の発明によれば、異常な温度上昇を抑制することが可能になり、しかも耐久性を向上できる。
【発明の効果】
【００２０】
本発明は、異常な温度上昇を抑制することが可能になり、しかも耐久性を向上できるという効果を奏する。
【発明を実施するための最良の形態】
【００２１】
（実施形態１）
本実施形態のランプソケット装置１は、例えば、図６に示すように、円筒状のバルブ（発光管）２１０の両端部それぞれに設けられた口金２２０の端面からそれぞれバルブ２１０の長手方向（軸方向）に一対ずつ突出された給電用のランプピン２３０を有した直管型蛍光ランプからなるランプ２００を、照明器具１００の器具本体１１０に対する定位置に取り付けるために利用される。なお、以下の説明では説明の簡略化のために、特段の断りがなければ図６における矢印ａ方向を上方向と、矢印ｂ方向を下方向と、矢印ｃ方向を左方向と、矢印ｄ方向を右方向とそれぞれ規定する。
【００２２】
照明器具１００は、器具本体１１０と、点灯装置１２０と、端子台１３０と、反射板１４０とを備えている。
【００２３】
器具本体１１０は、左右方向を長手方向とする長尺箱状に形成されており、その下壁部の左右方向（長手方向）両側それぞれには、ランプソケット装置１の一部を器具本体１１０の下方に突出させるための開孔部１１１が厚み方向に貫設されている。端子台１３０は、例えば商用電源などの交流電源の電源線Ｐを接続する端子部（図示せず）を備えている。このような端子台１３０は点灯装置１２０に電気的に接続され、点灯装置１２０は端子台１３０を経由して交流電源の電力を得る。点灯装置１２０は、交流電源の電力によりランプ２００点灯用の電源を生成し、ランプソケット装置１を介してランプ２００に給電するためのものであり、給電線Ｌによりランプソケット装置１に接続されている。このような点灯装置１２０としては、例えば銅鉄安定器や、電子安定器（インバータ）などの安定器を採用できる。なお、このような安定器は従来周知であるから詳細な説明は省略する。一方、反射板１４０は器具本体１１０の下面側全体を覆う形に形成され、ランプ２００が上側に放射した光を下側に反射することで、光の利用効率を高めるために用いられている。この反射板１４０の長手方向（左右方向）両側それぞれには、器具本体１１０の開孔部１１１より下方に突出したランプソケット装置１との干渉を避けるための切り欠き部１４１が形成されている。
【００２４】
ランプソケット装置１は、上述したような照明器具１００の器具本体１１０に備えられるものであって、一対のランプピン２３０それぞれが接触接続される一対の第１の導電板２と、ランプ用の給電線Ｌがそれぞれ接続される一対の第２の導電板３と、一対の第１の導電板２および一対の第２の導電板３が収納されたソケット本体４とを備えている。
【００２５】
第１の導電板２は、図１（ａ）に示すように、弾性を有する金属材料からなる長尺状の板材より曲成されたものであって、円弧状に形成されたピン接続部２０と、ピン接続部２０の一端側（図１（ａ）における上端側）に設けられた固定部２１と、ピン接続部２０の他端側（図１（ａ）における下端側）に設けられ規制部２２とを一体に備えている。ピン接続部２０は、凹面（図１（ａ）における左側の第１導電板２にあっては右面）がランプピン２３０の接触面として利用され、その中央部には、ランプピン２３０が内側に入り込むランプピン保持部２０ａが形成されている。ランプピン保持部２０ａは、ランプピン２３０を第１の導電板２に対する規定位置に位置決めするためのものであって、凸面側に突出する円弧状に形成されている。このような第１の導電板２は、固定部２１および規制部２２が同じ方向を向くとともに、ピン接続部２０の凹面同士が対向する形でソケット本体４に収納される。
【００２６】
第２の導電板３は、給電線Ｌが接続される給電線用端子部となる端子部３０と、第１の導電板２に接触する接触部３１と、端子部３０と接触部３１とを一体に連結する連結部３２とを備えている。
【００２７】
端子部３０および連結部３２は、第１の導電板２と同様に弾性を有する金属材料からなる長尺状の板材より曲成されている。端子部３０は、給電線Ｌを２つ並べて挿入可能な大きさの挿入孔３０ａが形成された横片３０ｂと、横片３０ｂの長さ方向（図１（ａ）における左右方向）一端側に垂設され挿入孔３０ａに挿入された給電線Ｌの側部が当接される端子片となる縦片３０ｃと、横片３０ｂの長さ方向他端側に挿入口３０ａに対応する形に突設された２つの鎖錠片３０ｄとを一体に備えている。この鎖錠片３０ｄは、先端側にいくにつれて横片３０ｂより離れ、且つ縦片３０ｃに近付く形に突設されており、電線挿入口３０ａに挿入された給電線Ｌを縦片３０ｃとで挟み込むとともに給電線Ｌに食い込んで電線挿入口３０ａからの抜止を行う。つまり、端子部３０は、横片３０ｂに設けた挿入孔３０ａに挿入した給電線Ｌを鎖錠片３０ｄの先端と縦片３０ｃとで挟持することで、給電線Ｌの機械的保持と電気的接続とを同時に行う所謂速結端子となっている。
【００２８】
接触部３１は、熱膨張率が異なる２枚の金属板を貼り合わせた、所謂バイメタルにより円弧状に形成されている。この接触部３１は、基端側（図１（ａ）における上端側）が連結部３２により端子部３０の横片３０ｂの長さ方向他端側に、凸面側（図１（ａ）における左側の第２の導電板３にあっては左面側）が端子部３０の端子片３０ｃ側となる形に連結されている。接触部３１の凹面側の先端部には、耐熱性、耐溶着性などに優れた金属材料よりなる接点３１ａが形成されている。また、接触部３１は、凸面側の金属板３１Ａ（図８参照）の熱膨張率を凹面側の金属板３１Ｂ（図８参照）よりも高く設定してあり、これによって、接触部３１の温度が所定温度、例えば１７０℃以上となった際には、接触部３１が、その先端部を凸面側に移動させる形に変形するようにしている。
【００２９】
ソケット本体４は、図２〜図４に示すように、ランプ２００の口金２２０との対向面側となる前面側が開口した箱状に形成され一対の第１の導電板２および一対の第２の導電板３が収納されるボディ５と、ボディ５の前面側を覆う形でボディ５に被着されるカバー６と、ボディ５およびカバー６に回転自在に取り付けられる回転子７とを備えている。このようなボディ５、カバー６、および回転子７は、たとえば絶縁性を有する樹脂材料を用いた成形品である。
【００３０】
ボディ５の長手方向一端側（図１（ａ）における上端側）の側壁部（図１（ａ）における上壁部）の短手方向（ボディ５の幅方向）両側それぞれには、ソケット本体４に収納された第２の導電板３の端子部３０の挿入孔３０ａに給電線Ｌを挿入するための一対の電線挿入口５ａ（図４参照）がボディ５の長手方向に沿って貫設されている。この一対の電線挿入口５ａは、ボディ５の厚み方向（図１（ａ）における紙面に垂直な方向）において離間する形に形成されている。ここで、一対の電線挿入口５ａのうちの一方は給電線Ｌをソケット本体４内に挿入するために利用され、他方は、送り配線用の電線（図示せず）などをソケット本体４内に挿入するために利用される。また、ボディ５の長手方向一端側の側壁部における電線挿入口５ａそれぞれの近傍には、ソケット本体４に収納された第２の導電板３の端子部３０による電線の鎖錠を解錠するための解除孔５ｂがボディ５の長手方向に沿って貫設されている。したがって、解除孔５ｂよりドライバなどの工具を差し入れて、鎖錠片３０ｄを電線から離間させることで電線を引き抜くことができるようになっている。
【００３１】
ボディ５の長手方向他端側（図１（ａ）における下端側）の側壁部（図１（ａ）における下壁部）の中央部には、ランプ２００のランプピン２３０を、ボディ５（ソケット本体４）の厚み方向（図１（ａ）における紙面に垂直な方向）に軸方向を沿わせた状態で、ボディ５（ソケット本体４）内に、ソケット本体４の長手方向（図１（ａ）における上下方向）に沿った方向より挿入するための開孔部５ｃが形成されている。
【００３２】
ボディ５の底面の中央部には、一対の第１の導電板３の固定部２１の先端部に当接する第１の固定片５０と、一対の第１の導電板３の固定部２１間に介在する第２の固定片５１と、固定部２１において第２の固定片５１が当接される面とは反対側の面に第２の固定片５１よりもボディ５の長手方向他端側で当接する第３の固定片５２が突設されている。つまり、これら固定片５０〜５２によって第１の導電板２の固定部２１が固定される。
【００３３】
また、ボディ５の底面における開孔部５ｃの開口縁部それぞれの近傍には、第１の規制片５３が上記開口縁部に連続する形に突設され、第１の規制片５３における開孔部５ｃ側とは反対側には、第２の規制片５４が突設されている。第１の規制片５３と第２の規制片５４との間には、ボディ５の取り付けられた第１の導電板２の規制部２２が配置されるようになっており、規制部２２が第１の規制片５３または第２の規制片５４に当接することによって、第１の導電板２、特にピン接触部２０の移動が規制される。また、第１の規制片５３における開孔部５ｃ側の面は、ランプピン２３０をソケット本体４内に誘い込むガイド面を構成している。
【００３４】
さらに、ボディ５の底面において一対の第１の導電板２のピン接続部２０間の中央部に相当する部位には、回転子７が回道自在に取り付けられる円筒状の軸部５５が突設されている。この軸部５５には、ランプピン２３０を軸部５５の中心を通りボディ５の長手方向に沿った方向に通過可能とする切り欠き部５５ａが形成されており、これによって、ランプ２００の一対のランプピン２３０の一方を第２の固定片５１と軸部５５との間、他方を開孔部５ｃと軸部５５との間にそれぞれ配置できるようになっている。
【００３５】
このようなボディ５には、第１の導電板２および第２の導電板３が次のようにして取り付けられる。第２の導電板３は、図５に示すように、端子部３０の挿入口３０ａがボディ５の電線挿入口５ａに連通するとともに、接触部３１の接点３１ａが軸部５５と対向する形にボディ５に取り付けられる。そして、第１の導電板２は、図５に示すように、固定部２１が固定片５０〜５２によって固定されるとともに、ピン接触部２０が軸部５５と第２の導電板３の接点３１ａとの間にいずれとも接触せずに位置した形でボディ５に取り付けられる。この状態では、第１の導電板２は、第２の導電板３に接触しない位置（以下、「開位置」と称する）に位置しており、第１の導電板２のランプピン保持部２０ａ間の距離は、ランプピン２３０の外幅より小さくなっている。したがって、一対のランプピン２３０それぞれを一対の第１の導電板２のランプピン保持部２０ａそれぞれの内側に配置する過程において、ランプピン２３０によって一対の第１の導電板２が互いに離間する方向に押し広げられる。そして、ランプピン２３０が第１の導電板２のランプピン保持部２０ａの内側にピン接触部２０に接触する形で配置された際には、第１の導電板２と第２の導電板３とが接触（すなわち第１の導電板２のピン接触部２０と第２の導電板３の接点３１ａとが接触）するようにしている。つまり、第１の導電板２は、ランプピン２３０が接触接続されていない状態では、第２の導電板３の接触部３１と接触しない上記開位置に位置し、ランプピン２３０の接触接続時にはランプピン２３０によって第２の導電板３側に押圧されて上記開位置から第２の導電板３の接触部３１と接触する位置（以下、「閉位置」と称する）に移動する。そして、第１の導電板２は弾性を有する金属材料により形成されているため、ランプピン２３０との接触状態が解除された際には、自身の弾性力によって上記閉位置から上記開位置に移動する。なお、第１の導電板２は規制片５３，５４によって移動が規制されているが、もちろん、第１の導電板２が上記開位置と上記閉位置との間を移動することは妨げないようになっている。
【００３６】
カバー６は、ボディ５の上記一面側の全面を覆う形の平板部６０と、平板部６０におけるボディ５との対向面の縁部にボディ５の周壁部を囲う形に形成された周壁部６１とを備えている。平板部６０には、ボディ５の軸部５５と同心円となる円形状の開口部６０ａが形成されている。開口部６０ａの内径は、一対のランプピン２３０の外幅より大きく設定されており、この開口部６０ａ内には、回転子７が回転自在に配置される。カバー６の周壁部６１においてボディ５の電線挿入口５ａと対向する部位には、電線挿入孔６１ａが当該電線挿入口５ａに連通する形に形成されている。また、周壁部６１の長手方向一端側（図４における上端側）の中央部には、円柱状のボス部６１ｂが突設されており、このボス部６１ｂには、ランプソケット装置１を器具本体１１０に取り付けるための取付ねじ（図示せず）用のねじ孔６１ｃが設けられている。また、周壁部６１においてボディ５の開孔部５ｃに対向する部位には、ランプピン挿入孔６１ｄが開孔部５ｃと連通する形に形成されている。
【００３７】
ところで、カバー６の長手方向一端側（図４における上端側）には、平板状の取付台６２が形成されており、この取付台６２には、ランプソケット装置１を器具本体１１０に取り付けるための取付ねじ（図示せず）用のねじ挿通孔６２ａが設けられている。
【００３８】
回転子７は、ボディ５やカバー６と同様に例えば絶縁性を有する樹脂材料を用いた成形品であり、ボディ５の軸部５５が内側に挿入される円筒状の軸受部７０と、軸受部７０におけるボディ５側とは反対側の端部に設けられ平板部６０の開口部６０ａを閉塞する円盤状の閉塞部７１とを一体に備えている。そして、回転子７には、ランプピン２３０を軸受部７の中心を通り閉塞部７の径方向に沿った方向に通過可能とする切り欠き部７２が形成されている。そして、この回転子７の切り欠き部７２の長さ方向が、ボディ５の軸部５５の切り欠き部５５ａの長さ方向に一致している状態では、ランプピン２３０を開孔部５ｃよりソケット本体４内に挿入できるようになっており、上記状態より回転子７が回転して切り欠き部７２の長さ方向が、ボディ５の軸部５５の切り欠き部５５ａの長さ方向に一致しなくなった場合には、開孔部５ｃが回転子７の軸受部７０の側壁部によって閉塞され、ランプピン２３０を開孔部５ｃよりソケット本体４内に挿入できなくなる。
【００３９】
以上により本実施形態のランプソケット装置１は構成されており、以下にその動作について図１および図５を参照して説明する。
【００４０】
ランプピン２３０が第１の導電板２に接続されていない状態では、第１の導電板２は、上記開位置に位置しており、このとき、図５に示すように、第１の導電板２と第２の導電板３とは接触していない。そして、ランプピン２３０を開孔部５ｃよりソケット本体４内に挿入し、一対のランプピン２３０の一方を第２の固定片５１と軸部５５との間、他方を開孔部５ｃと軸部５５との間にそれぞれ配置した後に、ランプ２００をその中心軸の回りに約９０度回転させることによって、一対のランプピン２３０それぞれが一対の第１の導電板２それぞれに接触するとともに、一対の第１の導電板２は上述したようにランプピン２３０によって互いに離間する形に押し広げられて、上記開位置より上記閉位置に移動し、図１（ａ）に示すように、ランプピン２３０が第１の導電板２のランプピン保持部２０ａに接触した状態では、第１の導電板２と第２の導電板３とが電気的に接続され、これによって、点灯装置１２０からランプ２００への給電が可能となる。
【００４１】
そして、ランプ２００の寿命末期などにおいて、ランプ２００の口金２２０の温度が上昇していくと、第２の導電板３の接触部３１の温度も上昇していき、接触部３１の温度が所定温度以上となった際に、図１（ｂ）に示すように、接触部３１は、第１の導電板２に接触しない形に変形し、これによって、点灯装置１２０からランプ２００に給電されなくなり、ランプ２００の異常な温度上昇が抑制される。そして、接触部３１の温度が下がり、所定温度未満になると第１の導電板２に接触する形に変形する。
【００４２】
以上述べた本実施形態のランプソケット装置１によれば、第２の導電板３の接触部３１が所定温度未満であれば、第２の導電板３の接触部３１が第１の導電板２に接触して、第１の導電板２および第２の導電板３が給電線Ｌとランプピン２３０との間の導電路を形成する一方、第２の導電板の接触部３１が所定温度以上になれば、第２の導電板３の接触部３１が第１の導電板２に接触しなくなり、上記導電路が遮断されるから、ランプ２００の寿命末期やランプピン２３０に過電流が流れることなどによる異常な温度上昇を抑制できる。つまり、本実施形態のランプソケット装置１は、異常な温度上昇を抑制するサーマルプロテクタ機能を有している。
【００４３】
しかも、本実施形態のランプソケット装置１によれば、ランプピン２３０が接触接続される第１の導電板２から給電線Ｌが接続される第２の導電板３が離れるようにしているので、第１の導電板２におけるランプピン２３０との接触部分（ランプピン保持部２０ａ）がアーク放電によって損傷することがなく、また導電板２，３同士の接触部分を耐アーク性に優れた構成とすることができるから、ランプピン２３０から導電板を離す従来例に比べれば、アーク放電の発生による導電板の損傷を抑制できて、耐久性を向上でき、繰り返しの使用にも耐えることができる。
【００４４】
また、ランプピン２３０を第１の導電板２に接触接続したときに、第１の導電板２が第２の導電板３に電気的に接続されるので、ランプピン２３０を第１の導電板２に接触接続する前は、第１の導電板２が第２の導電板３に電気的に接続されておらず、ランプピン２３０と接触される第１の導電板２には電位が与えられていないから、この状態で第１の導電板２に触れてしまっても、感電するおそれがなく、安全性を高めることができる。つまり、本実施形態のランプソケット装置１は、感電を防止するインターロック機能を有している。
【００４５】
そして、上述したようなランプソケット装置１と、ランプソケット装置１に給電線Ｌにより接続され当該ランプソケット装置１を介してランプ２００に給電する点灯装置１２０とを器具本体１１０に備えた照明器具によれば、常な温度上昇を抑制することが可能になり、しかも耐久性を向上できる。また、ランプソケット装置１が、ランプ２００の口金２２０の異常な温度上昇を抑制するサーマルプロテクタ機能と、感電を防止するインターロック機能とを有しているので、ランプソケット装置１を交換するだけで上記の効果を得ることができるから、例えば異常時に発振を停止する機能を有した高価な点灯装置１２０などを利用する必要がなく、このような機能を有していない安価な点灯装置１２０を利用でき、照明器具の低コスト化が図れる。
【００４６】
なお、本実施形態のランプソケット装置では、一対の第１の導電板２それぞれに第２の導電板３が接離する構成としているが、一方の第１の導電板２に第２の導電板３が接離し、他方の第１の導電板２が直接給電線Ｌに接続される構成としてもよく、このようにした場合であっても、一方の第１の導電板２より第２の導電板３が離れることで電路が遮断されるから、同様の効果を奏することができる。
【００４７】
また、本実施形態のランプソケット装置１は、口金２２０に一対のランプピン２３０が突出されたランプ２００に対応するものであるが、口金２２０に一つのランプピン２３０が突出されたランプ２００に対応するものであってもよく、本発明の趣旨を逸脱しない程度の設計変更は可能である。また、本実施形態のランプソケット装置を設けた照明器具も上記の例に限られることはなく、本発明の趣旨を逸脱しない程度の設計変更は可能である。このような点は後述する実施形態２においても同様である。
【００４８】
（実施形態２）
本実施形態のランプソケット装置１は、図７に示すように、第１の導電板２および第２の導電板３の構成が実施形態１と異なっている。また、本実施形態にランプソケット装置１は、実施形態１とは異なり、第１の導電板２と第２の導電板３とを２つずつ備えておらず、第１の導電板２を２つ、第２の導電板３を１つ備えている。なお、本実施形態のランプソケット装置１のその他の構成については実施形態１と同様であるから同様の構成については図示および説明を省略する。
【００４９】
本実施形態における第１の導電板２は、図７に示すように、固定部２１を備える代わりに、給電線Ｌが接続される給電線用端子部２３を備えている点で実施形態１と異なっている。すなわち、本実施形態における第１の導電板２は、ピン接続部２０と、給電線用端子部２３と、規制部２２とを一体に備えている。給電線用端子部２３は、図８に示すように、給電線Ｌが挿入可能な大きさの挿入孔２３ａが形成された横片２３ｂと、横片２３ｂの長さ方向一端側に垂設され挿入孔２３ａに挿入された給電線Ｌの側部が当接される端子片となる縦片２３ｃと、横片２３ｂの長さ方向他端側に挿入口２３ａに対応する形に突設された鎖錠片２３ｄとを一体に備えている。つまり、この給電線用端子部２３は、第２の導電板３の端子部３０と同様の速結端子である。また、第１の導電板２は、給電線用端子部２３の横片２３ｂの長さ方向他端側とピン接続部２０の一端側とを一体に連結する連結部２４を一体に備えている。なお、ピン接続部２０および規制部２２については実施形態１と同様であるから説明を省略する。このような第１の導電板２の形状変更に伴い、ボディ５からは第１の固定片５０が除去され、第２の固定片５１および第３の固定片５２は、第１の導電板２の連結部２４を狭持するために利用される。
【００５０】
このように、本実施形態のランプソケット装置１では、第１の導電板２によって、点灯装置１２０からランプ２００への給電が行えるようになっている。本実施形態における第１の導電板２の一方には、第２の導電板３が接離可能に配置される。なお、以下の説明では必要に応じて第１の導電板２を区別するために、第２の導電板３が接離可能に配置される一方の第１の導電板２を符号２Ａで表し、他方を符号２Ｂで表す。
【００５１】
第１の導電板２Ａは、第２の導電板３と並べてボディ５に取り付けることができるように、給電線用端子部２３および連結部２４の幅寸法がピン接触部２０の幅寸法のおおよそ半分程度に設定されている。これに伴って、第１の導電板２Ａの横片２３ｂの挿入孔２３ａは１つの給電線Ｌが挿入可能な大きさとなっており、給電線用端子部２３には鎖錠片２３ｄが１つだけ設けられている。なお、第１の導電板２Ｂは単独でボディ５に取り付けられるので、第２の導電板３を配置するために給電線用端子部２３および連結部２４の幅寸法を、ピン接触部２０の幅寸法のおおよそ半分程度とする必要はなく、そのため、横片２３ｂの挿入孔２３ａは２つの給電線Ｌが挿入可能な大きさとなっており、鎖錠片２３ｄも２つ設けられている。ただし、実際に給電線用端子部２３に接続する必要がある給電線Ｌの数は１本であり、余った挿入孔２３ａは送り配線などに利用されるものであるから、第１の導電板２Ｂは第１の導電板２Ａと同様の形状であっても問題は無い。
【００５２】
本実施形態における第２の導電板３は、実施形態１と同様に、端子部３０と、第１の導電板２に接触する接触部３１と、端子部３０と接触部３１とを一体に連結する連結部３２とを一体に備えているが、端子部３０は給電線Ｌではなく、信号線Ｓを接続するために使用される。つまり、本実施形態における端子部３０は、給電線用端子部ではなく、信号線用端子部として利用される。また、本実施形態における第２の導電板３は、実施形態１に比べて幅寸法がおおよそ半分程度に設定されている。
【００５３】
第２の導電板３は、図７に示すように、ボディ５の長手方向一端側の側壁部における短手方向の一端側の電線挿入口５ａの一方に、端子部３０の挿入口３０ａが連通するとともに、接触部３１の接点３１ａが軸部５５と対向する形にボディ５に取り付けられる。
【００５４】
そして、第１の導電板２は、図７に示すように、給電線用端子部２３の横片２３ｂをボディ５の長手方向一端側の側壁部に当接させるとともに、横片２３ｂに形成された挿入孔２３ａを当該側壁部の一方の電線挿入孔５ａに連通させた形でボディ５に取り付けられる。ここで、第１の導電板２Ａのピン接触部２０は、軸部５５と第２の導電板３の接点３１ａとの間にいずれとも接触しない位置に位置し、第１の導電板２Ｂのピン接触部２０は軸部５５に対して第１の導電板２Ａのピン接触部２０とは反対側に位置する。
【００５５】
この状態では、第１の導電板２Ａは、第２の導電板３に接触しない位置（以下、「開位置」と称する）に位置しており、第１の導電板２のランプピン保持部２０ａ間の距離は、ランプピン２３０の外幅より小さくなっている。したがって、一対のランプピン２３０それぞれを一対の第１の導電板２のランプピン保持部２０ａそれぞれの内側に配置する過程において、ランプピン２３０によって一対の第１の導電板２が互いに離間する方向に押し広げられる。そして、ランプピン２３０が第１の導電板２のランプピン保持部２０ａの内側にピン接触部２０に接触する形で配置された際には、第１の導電板２Ａと第２の導電板３とが接触（すなわち第１の導電板２Ａのピン接触部２０と第２の導電板３の接点３１ａとが接触）するようにしている。つまり、第１の導電板２Ａは、ランプピン２３０が接触接続されていない状態では、第２の導電板３の接触部３１と接触しない上記開位置に位置し、ランプピン２３０の接触接続時にはランプピン２３０によって第２の導電板３側に押圧されて上記開位置から第２の導電板３の接触部３１と接触する位置（以下、「閉位置」と称する）に移動する。そして、第１の導電板２Ａは弾性を有する金属材料により形成されているため、ランプピン２３０との接触状態が解除された際には、自身の弾性力によって上記閉位置から上記開位置に移動する。
【００５６】
以上により本実施形態のランプソケット装置１は構成されており、以下にその動作について図７および図９を参照して説明する。
【００５７】
ランプピン２３０が第１の導電板２に接続されていない状態では、第１の導電板２Ａは、上記開位置に位置しており、このとき、図７に示すように、第１の導電板２Ａと第２の導電板３とは接触していない。そして、ランプピン２３０を開孔部５ｃよりソケット本体４内に挿入し、一対のランプピン２３０の一方を第１の固定片５１と軸部５５との間、他方を開孔部５ｃと軸部５５との間にそれぞれ配置した後に、ランプ２００をその中心軸の回りに９０度回転させることによって、一対のランプピン２３０それぞれが一対の第１の導電板２それぞれに接触するとともに、一対の第１の導電板２は上述したようにランプピン２３０によって互いに離間する形に押し広げられ、第１の導電板２Ａは、上記開位置より上記閉位置に移動し、図９（ａ）に示すように、第１の導電板２Ａと第２の導電板３とが電気的に接続される。
【００５８】
そして、ランプ２００の寿命末期などにおいて、ランプ２００の口金２２０の温度が上昇していくと、第２の導電板３の接触部３１の温度も上昇していき、接触部３１の温度が所定温度以上となった際に、図９（ｂ）に示すように、接触部３１は、第１の導電板２Ａに接触しない形に変形する。一方、接触部３１の温度が下がり、所定温度未満になると第１の導電板２に接触する形に変形する。
【００５９】
上述した本実施形態のランプソケット装置１によれば、第２の導電板３と第１の導電板２Ａが接触しているか否かによって、ランプ２００への給電を行ってよいか否かを検知することができるようになっており、例えば、図１０に示すような照明装置に利用される。この照明装置は、２つのランプソケット装置１と、ランプソケット装置１に給電線Ｌおよび信号線Ｓにより接続され当該ランプソケット装置１を介してランプ２００に給電する点灯装置１２０とを備えている。ここで、点灯装置１２０は、例えば、商用電源などの交流電源ＡＣの交流電流をランプ２００点灯用の電流に変換する電力変換回路（図示せず）と、当該電力変換回路を制御する制御回路１２１とを有している。電力変換回路の出力端子は給電線Ｌによってランプソケット装置１の第１の導電板２の給電線用端子部２３に接続され、制御回路１２１は信号線Ｓによってランプソケット装置１の第２の導電板３の端子部３０に接続されている。ここで、制御回路１２１は、信号線Ｓの出力により、ランプソケット装置１において第２の導電板３の接触部３１が第１の導電板２Ａに接触しているか否かを検知する機能を有しており、接触部３１が第１の導電板２Ａに接触していれば、ランプ２００に給電を行い、接触部３１が第１の導電板２Ａに接触していなければ、ランプ２００への給電を停止するように電力変換回路を制御する。
【００６０】
以上述べた本実施形態のランプソケット装置１によれば、第２の導電板３の接触部３１が所定温度未満であれば、第２の導電板３の接触部３１が第１の導電板２Ａに接触する一方、第２の導電板３の接触部３１が所定温度以上になれば、第２の導電板３の接触部３１が第１の導電板２Ａに接触しなくなるので、第２の導電板３の信号線用端子部となる端子部３０に接続された信号線Ｓを利用して、ランプ２００の寿命末期やランプピン２３０に過電流が流れることなどによる異常な温度上昇の発生を検知できるから、異常な温度上昇を抑制することが可能となる。
【００６１】
そのため、ランプソケット装置１を介してランプ２００に給電する点灯装置１２１が、第２の導電板３の接触部３１が第１の導電板２に接触していなければ異常な温度上昇は生じていると判別して、ランプ２００への給電を停止する上記照明装置によれば、異常な温度上昇を抑制することができる。しかも、信号線Ｓに流す電流は給電用の電流に比べて小さくて済むため、第１の導電板２と第２の導電板３の接触部３１とが接離する際にアーク放電が発生することを防止できるから、ランプソケット装置１の長寿命化が図れ、また第１の導電板２および第２の導電板３とにアーク放電に耐えうるような高価な材料などを用いる必要もなくなる。
【００６２】
また、ランプピン２３０と第１の導電板２とは接触したままであるので、ランプピン２３０から導電板を離す従来例とは異なり、アーク放電が発生によって導電板が損傷するおそれがないから、耐久性を向上でき、繰り返しの使用にも耐えることができる。
【００６３】
また、本実施形態のランプソケット装置１によれば、ランプピン２３０を第１の導電板２Ａに接触接続したときに、第１の導電板２Ａが第２の導電板３に電気的に接続されるために、ランプピン２３０を第１の導電板２Ａに接触接続する前は、第１の導電板２Ａが第２の導電板３に電気的に接続されていないので、接触部３１が所定温度以上になって第１の導電板２Ａと接触しなくなった状態と同じ状態となる。つまり、本実施形態のランプソケット装置１では、第１の導電板２Ａと第２の導電板３とによって、異常温度を検知する検知手段と、ランプ２００を検知する検知手段とを構成している。
【００６４】
そのため、ランプソケット装置１を介してランプ２００に給電する点灯装置１２０が第２の導電板３の接触部３１が第１の導電板２Ａに接触していなければ異常な温度上昇は生じていると判別してランプ２００への給電を停止する上記照明装置によれば、ランプピン２３０を第１の導電板２Ａに接触接続する前は、ランプ２００への給電が停止されることになり、この状態で第１の導電板２Ａに触れてしまっても、感電するおそれがないから、安全性を高めることができる。
【００６５】
そして、図１０に示す照明装置を器具本体に備えた照明器具によれば、異常な温度上昇を抑制することが可能になり、しかも耐久性を向上できる。また、ランプソケット装置１が、ランプ２００の口金２２０の異常な温度上昇を検知する異常温度検知手段と、ランプ２００を検知するためのランプ検知手段（インターロックボタン）とを構成するから、異常温度検知手段やランプ検知手段を別設しなくて済む。
【図面の簡単な説明】
【００６６】
【図１】実施形態１のランプソケット装置を示し、（ａ）はランプピンが接続された状態の説明図、（ｂ）は第２の導電板が変形した状態の説明図である。
【図２】同上のランプソケット装置の斜視図である。
【図３】同上のランプソケット装置の分解斜視図である。
【図４】同上のランプソケット装置の分解斜視図である。
【図５】同上のランプソケット装置においてランプピンが接続されていない状態の説明図である。
【図６】同上のランプソケット装置を備えた照明器具の斜視図である。
【図７】実施形態２のランプソケット装置においてランプピンが接続されていない状態の説明図である。
【図８】同上のランプソケット装置の要部の斜視図である。
【図９】同上のランプソケット装置を示し、（ａ）はランプピンが接続された状態の説明図、（ｂ）は第２の導電板が変形した状態の説明図である。
【図１０】同上のランプソケット装置を備えた照明装置の概略説明図である。
【符号の説明】
【００６７】
１    ランプソケット装置
２    第１の導電板
３    第２の導電板
４    ソケット本体
２０    ピン接続部
２３    給電線用端子部
３０    端子部
３１    接触部
１００    照明器具
１１０    器具本体
１２０    点灯装置
２００    ランプ
２３０    ランプピン
Ｌ    給電線
Ｓ    信号線
【図１】
2009032523.tif 000003
【図２】
2009032523.tif 000004
【図３】
2009032523.tif 000005
【図４】
2009032523.tif 000006
【図５】
2009032523.tif 000007
【図６】
2009032523.tif 000008
【図７】
2009032523.tif 000009
【図８】
2009032523.tif 000010
【図９】
2009032523.tif 000011
【図１０】
2009032523.tif 000012